(57)【要約】【課題】  立体感のある火炎ランプの光列により雰囲気を盛り上げえることができるうえ、安定設置状態を確保できるライティング装置を提供する。【解決手段】  中央発光部１と、前記中央発光部１を取り囲む周辺発光部２とを備え、前記中央発光部１は、照明光源３０が発射する光を周辺に照光する発光部本体１Ａと、この発光部本体１Ａの所要部に設置される火炎ランプ５とから構成され、前記周辺発光部２は、前記発光部本体１Ａを略取り囲んで配設されて、固定台２１を介して設置面Ｍに設置された火炎ランプ群用支持フレーム２２と、この火炎ランプ群用支持フレーム２２に所定間隔で列状の配置された火炎ランプ２３群とから構成され、前記火炎ランプ２３群は、中央発光部１を中心にして立体的に配置されている。【選択図】        図１
2006066230.tif 000002
【特許請求の範囲】
【請求項１】
中央発光部と、前記中央発光部を取り囲む周辺発光部とを備え、前記中央発光部は、照明光源が発射する光を周辺に照光する発光部本体と、この発光部本体の所要部に設置される火炎ランプとから構成され、前記周辺発光部は、前記発光部本体を略取り囲んで配設されて、固定台を介して設置面に設置された火炎ランプ群用支持フレームと、この火炎ランプ群用支持フレームに所定間隔で列状の配置された火炎ランプ群とから構成され、前記火炎ランプ群は、中央発光部を中心にして立体的に配置されていることを特徴とするライティング装置。
【請求項２】
前記火炎ランプ群用支持フレームは、連続する下降勾配をもった姿勢で火炎ランプ群を略一定間隔毎に列状に支持する請求項１に記載のライティング装置。
【請求項３】
前記火炎ランプ群用支持フレームは、略ハート形に形成されて後側よりも前側が低い傾斜姿勢に配設され、この傾斜角度が固定または可変である請求項２に記載のライティング装置。
【請求項４】
前記火炎ランプ群用支持フレームは、略螺旋形に形成されている請求項２に記載のライティング装置。
【請求項５】
前記発光部本体は、前記照明光源を内蔵した台座と、この台座に立設されて前記照明装置が発射する上向きの光で照光される透光性のキャンドル形本体からなり、該キャンドル形本体の頂部に前記火炎ランプを設置した請求項１〜４のいずれかに記載のライティング装置。
【請求項６】
前記火炎ランプおよび火炎ランプ群は、液体燃料ランプ、ガスランプ又は固体燃料ランプからなる請求項１〜５のいずれかに記載のライティング装置。
【請求項７】
前記火炎ランプおよび火炎ランプ群のうちの少なくとも火炎ランプ群は、自動着火装置または／および自動消化装置により点火または／および消火される請求項６に記載のライティング装置。
【請求項８】
前記火炎ランプの燃料には、炎色剤が混入されて有色火炎発光する請求項６に記載のライティング装置。
【発明の詳細な説明】
【技術分野】
【０００１】
この発明は、結婚披露宴ないしは各種イベントなどのキャンドルサービスの灯火に適したライティング装置に関する。
【背景技術】
【０００２】
近年、例えば結婚披露宴におけるキャンドルサービスでは、会場の雰囲気を盛り上げるために、従来のキャンドルを使うものに代わって、多数の発光ダイオード（ＬＥＤという）を備えた台座上に、透光性のキャンドル形本体を立設し、このキャンドル形本体の上部にキャンドルサービス時に点火される液体燃料ランプを設けたものが知られている。
【０００３】
これは、新郎新婦が会場の各テーブル上のキャンドルを点火して回り、最後に前記キャンドル形本体上の液体燃料ランプに点火した際に、前記発光ダイオードを点灯させ、その光でキャンドル形本体を内部から照光させることにより、ライティング効果を増すようにしたものである。
【０００４】
また、これとは別に、メインキャンドルを中心にして複数の小形のキャンドル群をハート形に配列したものが知られている（特許文献１参照）。
【０００５】
これは、図１３に示すように、メインキャンドル１０１の先端から延びる略垂直姿勢のハート形のアーム１０２に複数の小形キャンドル群１０３を配置し、これら小形キャンドル１０３の燃焼芯を導火線１０４で繋ぎ、リモートコントロールされる発火装置１０５により導火線１０４に着火して前記小形キャンドル群１０３を順次点火させるようにしたものである。
【特許文献１】特開２００２−１３０６７３号公報（第４頁、図１）
【発明の開示】
【発明が解決しようとする課題】
【０００６】
ところで、最近では、結婚披露宴などにおいて、演出に多彩な工夫を凝らすことが多くなってきており、キャンドルサービスもその演出に沿って見栄えのあるものが要望されている。
【０００７】
ところが、上記従来の前者のものでは、一つキャンドル形本体の上端の液体燃料ランプの炎に加えて、前記キャンドル形本体がＬＥＤで照光されるのは、それなりの独特の雰囲気があるが、これだけでは、多彩な演出に対応させるには、やや物足りない面がある。
【０００８】
一方、上記した公知技術においては、メインキャンドルとは別の複数の小形キャンドル群が順次導火線を介して点火されて、炎がハート形になる面白味があるが、アーム１０２がメインキャンドル１０１の先端に支持されており、さらに導火線１０４で小形キャンドル群１０３の燃焼芯を繋ぐ構造であるから、セットする作業が煩雑であり、とくにメインキャンドル１０１の先端ですべてを支持している関係上、取り付け状態が不安定になっている。
【０００９】
とくに、前記ハート形のアーム１０２は略垂直面に沿った姿勢で支持されているので、小形キャンド群を点火した状態では、光の前後方向の広がりが少なく、表示状態の立体感が乏しいという問題がある。
【００１０】
この発明は、上記実情に鑑みてなされたものであり、セット作業が簡単で、安定設置状態を確保できるうえ、立体感の豊かな表示状態で会場を盛り上げることができるライティング装置を提供することを課題とする。
【課題を解決するための手段】
【００１１】
上記課題を解決するためになされたものであり、本発明の第１の形態は、中央発光部と、前記中央発光部を取り囲む周辺発光部とを備え、前記中央発光部は、照明光源が発射する光を周辺に照光する発光部本体と、この発光部本体の所要部に設置される火炎ランプとから構成され、前記周辺発光部は、前記発光部本体を略取り囲んで配設されて、固定台を介して設置面に設置された火炎ランプ群用支持フレームと、この火炎ランプ群用支持フレームに所定間隔で列状の配置された火炎ランプ群とから構成され、前記火炎ランプ群は、中央発光部を中心にして立体的に配置されているライティング装置である。
【００１２】
本発明の第２の形態は、前記火炎ランプ群用支持フレームは、連続する下降勾配をもった姿勢で火炎ランプ群を略一定間隔毎に列状に支持するライティング装置である。
【００１３】
本発明の第３の形態は、前記火炎ランプ群用支持フレームは、略ハート形に形成されて後側よりも前側が低い傾斜姿勢に配設され、この傾斜角度が固定または可変であるライティング装置である。
【００１４】
本発明の第４の形態は、前記火炎ランプ群用支持フレームは、略螺旋形に形成されているライティング装置である。
【００１５】
本発明の第５の形態は、前記発光部本体は、前記照明光源を内蔵した台座と、この台座に立設されて前記照明装置が発射する上向きの光で照光される透光性のキャンドル形本体からなり、該キャンドル形本体の頂部に前記火炎ランプを設置したライティング装置である。
【００１６】
本発明の第６の形態は、前記火炎ランプおよび火炎ランプ群は、液体燃料ランプ、ガスランプ又は固体燃料ランプからなるライティング装置である。
【００１７】
本発明の第７の形態は、前記火炎ランプおよび火炎ランプ群のうちの少なくとも火炎ランプ群は、自動着火装置または／および自動消火装置により点火または／および消火されるライティング装置である。
【００１８】
本発明の第８の形態は、前記火炎ランプの燃料には、炎色剤が混入されて有色火炎発光するライティング装置である。
【発明の効果】
【００１９】
本発明の第１の形態によれば、中央発光部の発光のみならず、周辺発光部における火炎ランプ群の光で付近が広く照らされるから、出席者を注目させるライティング効果が得られ、さらに、前記周辺発光部における火炎ランプ群用支持フレームが中央発光部に関係なく固定台を介して設置面に設置されるので、火炎ランプ群用支持フレームのセットが比較的簡易になるうえ、セットされた際に安定支状態が確保される。
特に、周辺発光部における火炎ランプ群が前記中央発光部を中心にして立体的に配置されているから、火炎ランプ群によって中央発光部の周辺が上下および左右方向の広がりのみならず、奥行き感のある火炎列で会場内に効果的にアピールすることができる。
【００２０】
本発明の第２の形態によれば、火炎ランプ群用支持フレームが連続下降勾配をもった姿勢で火炎ランプ群を略一定間隔で列状に支持させてあるから、火炎ランプ群の炎の高さが互いに重複することがなく、火炎列の立体感を会場全域から視認しやすくなる。
【００２１】
本発明の第３の形態によれば、火炎ランプ群用支持フレームが略ハート形で、後側よりも前側が低い傾斜姿勢となっているから、前記火炎ランプ群の炎が会場の遠い位置からでも略ハート形と視認しやすく、略ハート形状の炎から、例えば結婚披露宴などの祝い事では、「祝福」に相応しいイメージを与えることができる。
【００２２】
本発明の第４の形態によれば、火炎ランプ群用支持フレームが略螺旋形であるから、火炎ランプ群の炎を一段と立体的に浮かび上がらせることができる。
【００２３】
本発明の第５の形態によれば、発光部本体におけるキャンドル形本体と、照明装置を備えた台座とが別けて構成されているから、照明装置として異種の形態のものを用意することができ、とくに、照明装置からの上方向きの光で透光性のキャンドル形本体が照光され、頂部で火炎ランプが灯されるので、あたかも全体がキャンドル形状で発光するように表示できる。
【００２４】
本発明の第６の形態によれば、液体燃料ランプとしてアルコールランプ又はオイルランプなどを用いることができ、ガスランプでは噴霧ガスや一般の燃料ガスなどを用いることができ、固体燃料ランプではローソクなどの一般の固体燃料を用いることができる。
【００２５】
本発明の第７の形態によれば、例えばキャンドルサービスなどの時に、中央発光部の発光に伴って、自動点火装置により周辺発光部における火炎ランプ群を自動的に一斉に点火でき、また、必要な時に自動消火装置により前記火炎ランプ群を自動的に消火させるこができる。
【００２６】
本発明の第８の形態によれば、燃料に混入される炎色剤により、炎の色を容易に変えることできる。
【発明を実施するための最良の形態】
【００２７】
以下、この発明の実施形態を図面に基づいて説明する。
【００２８】
図１は、この発明の実施形態にかかるライティング装置を示す斜視図である。図１において、このライティング装置Ａは、中央発光部１と、この中央発光部１を略取り囲む周辺発光部２とを備えている。
【００２９】
前記中央発光部１は、例えば図２に示すように、発光部本体１Ａと火炎ランプ５とからなる。発光部本体１Ａは、台座３と、キャンドル形本体４とからなり、キャッドル形本体４には、ランプ載置材６が配設されており、全体形状が略キャンドル形になっている。
【００３０】
前記台座３は、例えば合成樹脂などからなる角形の中空基体３１と、この中空基体３１上に設置された合成樹脂製の円盤形のキャンドル支持体３２とから構成されている。
【００３１】
前記キャンドル支持体３２の上面には、凹所３２ａが形成されており、この凹所３２ａには、照明光源として多数のＬＥＤ３０が上向きで配置されている。このＬＥＤ３０は、それぞれの配線部（図示せず）などと共に、前記中央キャンドル形本体４に対する照明装置を構成しており、上方へ向けて光を発射するようになっている。
【００３２】
前記ＬＥＤ３０は、一色のみでもよいが、ここでは、赤や青などの複数色のものを混在させてあり、例えば前記液体燃料ランプ５がキャンドルサービスなどで点火された際に、そのタイミングで後述する点灯制御装置２７により点灯制御されるようになっている。
【００３３】
ＬＥＤ３０の点灯は、各色を規則的に点灯させてもよいし、不規則的に点灯させてもよい。また、ＬＥＤ３０を点滅するようにしてもよい。なお、前記中空基体３１には、ＬＥＤ３０の配線部などが収容可能である。
【００３４】
前記キャンドル形本体４は、ガラスないしはアクリル樹脂などの透光性材を使用して下端側末広がりの略花瓶形に成形されるとともに、外周面には、複数のリブ４０が一体形成されており、前記ＬＥＤ３０からの光を受けて周囲を照光させるようになっている。
【００３５】
このキャンドル形本体４は、このままでも使用可能であるが、この例では、内部に複数本の紐体４１を垂れた状態に配設してあり、各紐体４１には、複数の反射球体４２が一定間隔を存して取り付けられている。この反射球体４２は、前記からの光を周辺に反射させるものである。なお、この例では、キャンドル形本体４の内部に、発泡性液、例えば炭酸水を収容し、発生する気泡にＬＥＤ３０からの光を照射させるようにしてある。
【００３６】
前記火炎ランプ５は、例えばアルコールランプのような液体燃料ランプからなる。勿論、液体燃料ランプに限らず、ガスランプを使用することも可能である。
【００３７】
この液体燃料ランプ５は、前記キャンドル形本体４の所要部、例えば頂部に載置されており、アルコールなどの液体燃料５０が収容された球形の容器５１と、下端部が前記液体燃料５０に浸漬されて、上端部が容器５１の首部５１ａから引き出された灯芯５２とからなり、例えば結婚披露宴などに新郎新婦が各席のキャンドルに点火して回った後、最後に点火される。なお、この液体燃料ランプ５は、不使用時には、液体燃料５０の蒸発を防止するためにキャップ（図示せず）が着脱可能に装着されている。
【００３８】
前記ランプ載置材６は、前記中央キャンドル形本体４の上端開口端部４ａに載置されて、前記液体燃料ランプ５を支持するものであり、金属網体などからなり、中央部位を凹状に変形させて前記液体燃料ランプ５を安定状態に支持している。
【００３９】
前記周辺発光部２は、例えば図３に示すように、固定台２１と、前記キャンドル形本体４を略取り囲んで配設された火炎ランプ群用支持フレーム２２と、火炎ランプ群用支持フレーム２２に配置された火炎ランプ２３の群とを備えている。
【００４０】
前記固定台２１は、例えば設置面Ｍ上に配設された基体部２１１と、基体部２１１の上面に立設された左右一対の後部支柱２１２，２１２と、一本の前部支柱２１３とから構成されている。前記基体部２１１は、例えばＴ形に形成されているが、十字形などの任意の形状を採用可能である。
【００４１】
前記火炎ランプ群用支持フレーム２２は、例えば金属や樹脂などからなる帯状ないしはこの例のようなパイプ製の左右一対のフレーム片２２１，２２１と、これら左右一対のフレーム片２２１，２２１を前部で互いに接近状態で連結する連結片２２２とからなる。なお、右側フレーム片２２１は、平面形状が略Ｓ字形であるのに対して、左側フレーム２２１は、Ｓ字形を反転した形状である。
【００４２】
これら左右一対のフレーム片２２１，２２１は、前記キャンドル形本体４を略取り囲んで配設されており、各後部が前記左右一対のフレーム片２２１，２２１に固定されることにより、全体形状が後部開放状態の略ハート形となっている。
【００４３】
前記火炎ランプ２３の群は、図３に示すように、前記火炎ランプ群用支持フレーム２２の各フレーム片２２１，２２１上に略一定間隔を存した列状配列されて取り付けられている。
【００４４】
前記火炎ランプ用の支持フレーム２２は、連続する下降勾配をもった姿勢、ここでは前部が後部よりも低い傾斜姿勢で配設されている。
【００４５】
各火炎ランプ２３の群のそれぞれは、例えばアルコールランプのような液体燃料ランプが使用されている。勿論、液体燃料ランプに限らず、ガスランプであってもよい。
【００４６】
この揮発ランプ２３は、図４〜図６に示すように、アルコールなどの液体燃料
２３０が収容された角形容器２３１と、下端部が前記液体燃料２３０に浸漬されて、上端部が容器２３１の首部２３１ａから引き出された灯芯２３２とを備えている。
【００４７】
この液体燃料ランプ２３は、前記各フレーム片２２１，２２１上に固定された支持ポール２５１の先端の受け部２５２に嵌着されており、前記容器２３１には、必要に応じて前記受け部２５２に嵌着された円筒形の外装体２５３に外嵌されている。
【００４８】
なお、この液体燃料ランプ２３は、不使用時には、液体燃料２３０の蒸発を防止するために、例えば図７および図８に示すように、ゴム製キャップ２６が着脱可能に装着されている。
【００４９】
この液体燃料ランプ２３には、自動着火装置２４が装着されており、キャンドルサービス時に中央発光部１における液体燃料ランプ５が点火された際に、後述する点灯制御装置２７からの指令信号により直に自動着火装置２４を作動させて液体燃料ランプ２３群をそれぞれ点火させるようになっている。
【００５０】
前記自動着火装置２４は、例えば図４〜図６に示すように、前記容器２３１に
首部２３１ａに装着されるＬ形の金属板２４１と、ヒータプラグ２４２と、電気ヒータ２４３と、点火誘導芯（導火線）２４４とからなる。
【００５１】
前記金属板２４１の水平片部２４１ａには、前記容器２３１に首部２３１ａに嵌着される取り付け孔２４１ｃが形成されており、この取り付け孔２４１ｃの内縁には、前記首部２３１ａの外周面を圧接して安定装着状態を確保させる複数の圧接片２４１ｄが切り起こし形成されている。
【００５２】
この金属板２４１の水平片部２４１ａは、遮蔽板として比較的広幅状に形成されている。つまり、例えば容器２３１周辺に液体燃料２３０が付着した状態で着火された際の火花や燃焼灰が前記容器２３１側に落下するするのを前記水平片部２４１ａで遮蔽してある。
【００５３】
前記金属板２４１の垂直片部２４１ｂには、ヒータプラグ２４２の内端部が前記液体燃料ランプ２３における灯芯２３２付近に臨出する状態で貫通して固定されており、このヒータプラグ２４２内には、電気ヒータ２４３が配備されている。この電気ヒータ２４３には、外部から引き回された電力供給線２４５により、通電されるようになっている。
【００５４】
前記点火誘導芯２４４は、例えば綿製の線材の表面をろうで被覆したものであり、その外端部が前記電気ヒータ２４３に接触もしくは近接して配置される一方、内端部が前記液体燃料ランプ２３の灯芯２３４に接触もしくは近接して配置されている。具体的には、点火誘導芯２４４を前記灯芯２３４に対して巻回させる場合、あまり緊密に巻くよりも隙間が存在するように緩く巻いた方が空気が介在して着火しやすくなる。
【００５５】
前記自動着火装置２４は、図７に示すように、点火制御装置２７により制御されるようになっている。
【００５６】
前記点火制御装置２７は、例えば会場の担当者が操作するリートコントロール用の送信装置２７０と、この送信装置２７０の指令信号を受信する受信部２７１と、受信部２７１からの出力により前記自動着火装置２４に通電電力をＯＮ／ＯＦＦ制御するスイッチング部２７１とを備えている。
【００５７】
また、前記液体燃料ランプ２３の群の各灯芯２３４の炎については、自動消火装置（図示せず）で消火させるようにしてもよい。具体的には、灯芯２３４の炎に対して消火気体を吹きつけたり、消火蓋で覆ったりする構成が採用される。
【００５８】
なお、前記中央発光部１における揮発ランプ５についても、前記自動着火装置２４で点火し、前記のような自動消火装置で消火させるように構成することが可能である。
【００５９】
つぎに、上記構成のライティング装置の動作を結婚披露宴のキャンドルサービスに適用した場合を例にして説明する。
【００６０】
前記中央発光部１と、前記周辺発光部２とを会場における所定の場所に設置した後、キャンドルサービスが開始される際には、キャンドル形発光部１の頂部に設置された液体燃料ランプ５のキャップ（図示せず）を外す一方、前記周辺発光部２における液体燃料ランプ２３のキャップ２６を外しておく。
【００６１】
なお、会場の各テーブルには、所定のランプ、例えば前記中央発光部１と類似した小形のキャンドルランプ（図示しない）が設置されている。
【００６２】
キャンドルサービスが開始されると、会場の照明全体が落とされる。新郎新婦は、会場の各テーブルを巡回して携帯トーチで各テーブルのキャンドルランプに点火して回り、すべてのテーブルのキャンドルランプに対する点火が終了すれば、このキャンドルサービス用のライティング装置Ａが設置されている所定場所に戻る。
【００６３】
そして、新郎新婦が前記携帯トーチで前記中央発光部１における液体燃料ランプ５における灯芯５２に点火する。
【００６４】
この液体燃料ランプ５の炎は、キャンドルと違って比較的大きく、薄暗い会場の揺らぐと雰囲気が高められる。しかも、キャンドルの炎よりも液体燃料５０を吸い上げる分、発光量が比較的大きく、目立ちやすくなる。しかも、液体燃料５０にナトリウムなどの炎色剤を混入するだけで、炎色反応が生じて色合いがよく、見栄え良く燃焼させることができる。
【００６５】
この液体燃料ランプ５が点火すれば、直ぐに担当者により点灯制御装置２７を作動させる。これにより、前記中央発光部１におけるＬＥＤ３０が自動点灯される一方、前記周辺発光部２における液体燃料ランプ２３の群が自動着火される。
【００６６】
前記ＬＥＤ３０からの光でキャンドル本体４内が下方から照射される。この光は、前記キャンドル本体４内に気泡を照らす共に、縦に配列された多数の反射球体４２で反射されるので、周囲はミラーボールからの反射光のように、会場全体がキラキラと輝き、不思議な光の散乱空間が現出される。
【００６７】
一方、液体燃料ランプ２３の群が自動着火されると、中央発光部１が前記液体燃料ランプ２３の群における各液体燃料ランプ２３の炎で略全体が取り囲まれた状態となって、周辺がかなりの照度で明るくなり、しかも、これが前記中央発光部１の発光と同時に起きるので、出席者を驚かすことができる。
【００６８】
とくに、この液体燃料ランプ２３の群による炎が略ハート形となるので、「祝福」感を出席者にイメージさせることができ、もって出席者全体に感動を呼び起こすことができる。
【００６９】
とくに、液体燃料ランプ２３の群の炎が略ハート形状となり、その光の配列が上下および左右方向で広がり感があるばかりか、火炎ランプ群用支持フレーム２２が前部が後部よりも低い傾斜姿勢で配設されているので、奥行き感がでて、全体に立体感の豊かな発光状態となり、会場全域から見やすくなるとともに、雰囲気を一層盛り上げることができる。
【００７０】
また、前記液体燃料ランプ２３の群を支持するフレーム２２は、中央発光部１とは独立して固定台２１を介して設置面Ｍ上に設置されているので、セット作業が簡単に行えるうえ組み付け状態で液体燃料ランプ２３の群が安定的に保持され、キャンドルサービスを安心して進行させることができる。
【００７１】
なお、前記液体燃料ランプ２３における着火時の火花などが前記Ｌ形金具２４１における水平片部２４１により遮蔽され、付近に落下するのが防止される。
【００７２】
ところで、前記実施形態では、火炎ランプ群用支持フレーム２２の前傾角度は一定に保持されているもので説明したが、火炎ランプ群用支持フレーム２２の高さ位置を変えて傾斜角度を変更できるようにしてもよい。
【００７３】
例えば図９に示すように、固体台２１における後部支柱２１２，２１２を分割構成するとともに、スライド形ジョイント３０１で連結する一方、左右のフレーム片２２１，２２１も分割して長さが可変可能なスライド形ジョイント３０２で連結し、さらに、前部支柱２１３に対して火炎ランプ群用支持フレーム２２の前側をヒンジ部材３０３で連結すれば、前記ヒンジ部材３０３を支点にして火炎ランプ群用支持フレーム２２の後部高さ位を可変設定することができる。
【００７４】
また、前記火炎ランプ群用支持フレーム２２の全体形状も、上記のような後部開放形の略ハート形のものに限らず、例えば図１０に示すように、火炎ランプ群用支持フレーム２２を左右方向に膨らませてやや丸みを持たせるとともに、後部を閉塞した完全なハート形に成形してもよい。
【００７５】
さらにまた、前記火炎ランプ群用支持フレーム２２の全体形状は、前記ハート形に限定されるものではなく、例えば図１１に示すように、略螺旋形に成形したものを使用することもできる。図１１では、液体燃料ランプ群用支持フレーム２２を、例えば下端広がり状の三脚形固定台２１に固定してある。この場合、液体燃料ランプ２３の群の点灯により、一層立体感の豊かな照光表示が可能となる。
【００７６】
また、この螺旋形の火炎ランプ群用支持フレーム２２を使用する場合には、例えば図１２に示すように、螺旋形の火炎ランプ群用支持フレーム２２にＬ形の支持部材４００を吊持し、各液体燃料ランプ２３をそれぞれ支持部材４０１の水平片部４０１ａに支持させるようにしてもよい。
【００７７】
この発明は、上記実施形態に限定されるものではなく、この発明の技術思想を逸脱しない範囲における種々の変形例、設計変更などをその技術的範囲内に包含することはいうまでもない。
【産業上の利用可能性】
【００７８】
本発明に係るライティング装置は、結婚披露宴、記念式典又は受賞式などの種々の祝賀行事において催されるパーティーや各種イベントなどに用いることができ、簡易に効果的な演出を行うことができる。
【図面の簡単な説明】
【００７９】
【図１】この発明の実施形態にかかるライティング装置を示す斜視図である。
【図２】同じくライティング装置における中央発光部を示す分解斜視図である。
【図３】同じくライティング装置における周辺発光部を示す正面図である。
【図４】同じく周辺発光部における液体燃料ランプおよび着火装置を示す分解斜視図である。
【図５】同じく液体燃料ランプおよび着火装置を示す組み付け斜視図である。
【図６】同じく液体燃料ランプおよび着火装置の一部を破断して示す側面図である。
【図７】同じく液体燃料ランプにおけるキャップを外した状態を示す斜視図である。
【図８】同じく液体燃料ランプにおけるキャップを装着した状態を示す斜視図である。
【図９】周辺発光部における火炎ランプ群用支持フレームの傾斜角度が変更可能なライティング装置を示す斜視図である。
【図１０】同じく液体燃料ランプ群用支持フレームの別の形状を示す正面図である。
【図１１】同じく液体燃料ランプ群用支持フレームを略螺旋形としたライティング装置を示す斜視図である。
【図１２】同じく略螺旋形の火炎ランプ群用支持フレームに吊持される液体燃料ランプを示す側面図である。
【図１３】従来のキャンドルサービス用のライティング装置を示す斜視図である。
【符号の説明】
【００８０】
１            中央発光部
１Ａ          発光部本体
２            周辺発光部
３            台座
４            キャンドル形本体
５、２３      火炎ランプ
２１          固定台
２２          火炎ランプ群用の支持フレーム
２４          自動点火装置
３０          照明光源
Ｍ            載置面
【図１】
2006066230.tif 000003
【図２】
2006066230.tif 000004
【図３】
2006066230.tif 000005
【図４】
2006066230.tif 000006
【図５】
2006066230.tif 000007
【図６】
2006066230.tif 000008
【図７】
2006066230.tif 000009
【図８】
2006066230.tif 000010
【図９】
2006066230.tif 000011
【図１０】
2006066230.tif 000012
【図１１】
2006066230.tif 000013
【図１２】
2006066230.tif 000014
【図１３】
2006066230.tif 000015